(57)【要約】【課題】キャビネット内に収納した家庭電気製品に異常が発生した場合に被害の拡大を防止することができる家庭電気製品収納庫を提供する。【解決手段】キャビネット１の前面に開閉自在に取り付けられた収納扉１３と、家庭電気製品（図示せず）を収納する家庭電気製品収納部２と、家庭電気製品収納部２内の一酸化炭素濃度を検知する一酸化炭素濃度検知手段１２と、一酸化炭素濃度検知手段１２の出力により動作する制御手段（図示せず）を備え、収納扉１３が開時に家庭電気製品収納部２内の一酸化炭素濃度が異常に変化し、一酸化炭素濃度検知手段１２の出力が一定のレベルを超えると収納扉１３を閉じるもので、キャビネット１内に収納した家庭電気製品に異常過熱などが発生した場合、家庭電気製品収納部２への空気が遮断されると共に、異常過熱部分を使用者から隔離することができ、被害が拡大するのを防止することができる。【選択図】図１
2010252828.tif 000002
【特許請求の範囲】
【請求項１】
キャビネットと、前記キャビネットの前面に開閉自在に取り付けられた収納扉と、前記キャビネット内に設けられ家庭電気製品を収納する家庭電気製品収納部と、前記家庭電気製品収納部内の一酸化炭素濃度を検知する一酸化炭素濃度検知手段と、前記一酸化炭素濃度検知手段の出力に応じて動作する制御手段とを備え、前記制御手段は、前記収納扉が開時に前記家庭電気製品収納部内の一酸化炭素濃度が異常に変化し、前記一酸化炭素濃度検知手段の出力が一定のレベルを超えると前記収納扉を閉じることを特徴とする家庭電気製品収納庫。
【請求項２】
家庭電気製品収納部に設けられ家庭電気製品へ給電する給電手段と、この給電手段を入り切りする電源制御手段を備え、制御手段は、収納扉が開時に前記家庭電気製品収納部内の一酸化炭素濃度が異常に変化し、一酸化炭素濃度検知手段の出力が一定のレベルを超えると前記電源制御手段により、前記給電手段への給電を停止する請求項１に記載の家庭電気製品収納庫。
【請求項３】
家庭電気製品から発生する蒸気を家庭電気製品収納部の外へ排出する蒸気処理手段を備え、制御手段は、前記家庭電気製品収納部内の一酸化炭素濃度が上昇し、一酸化炭素濃度検知手段の出力が一定のレベルを超えると前記蒸気処理手段の動作を停止させる請求項１または２に記載の家庭電気製品収納庫。
【請求項４】
外力による収納扉の開閉を禁止するロック手段を備え、一酸化炭素濃度検知手段の出力が一定のレベルを超えると、前記収納扉を閉じた後、前記ロック手段を動作させて前記収納扉が開かないようにする請求項１〜３のいずれか１項に記載の家庭電気製品収納庫。
【発明の詳細な説明】
【技術分野】
【０００１】
本発明は、家庭電気製品を収納した状態で使用できるようにした家庭電気製品収納庫に関するものである。
【背景技術】
【０００２】
従来、この種の家庭電気製品収納庫は、キャビネット内に、前面が開口し、家庭電気製品を収納する家庭電気製品収納部を設け、この家庭電気製品収納部の天面に家庭電気製品から排出される熱気・蒸気を外部へ排出する排出装置を設け、家庭電気製品から排出される熱気・蒸気を外部へ排出することで、家庭電気製品を収納した状態で使用できるよう構成されていた（例えば、特許文献１参照）。
【先行技術文献】
【特許文献】
【０００３】
【特許文献１】特公平７−１１４７３５号公報
【発明の概要】
【発明が解決しようとする課題】
【０００４】
しかしながら、上記特許文献１に記載されたような従来の家庭電気製品収納庫の構成では、キャビネット内に家庭電気製品を収納して使用しているとき、家庭電気製品の異常過熱などの異常があった場合に、そのまま使用を続けると家庭電気製品収納庫が故障するばかりでなく、被害が拡大する可能性があるという課題を有していた。
【０００５】
本発明は、上記従来の課題を解決するもので、キャビネット内に収納した家庭電気製品に異常が発生した場合に、家庭電気製品収納部の収納扉を閉めることで、被害の拡大を防止することができる家庭電気製品収納庫を提供することを目的としている。
【課題を解決するための手段】
【０００６】
上記従来の課題を解決するために、本発明の家庭電気製品収納庫は、キャビネットと、前記キャビネットの前面に開閉自在に取り付けられた収納扉と、前記キャビネット内に設けられ家庭電気製品を収納する家庭電気製品収納部と、前記家庭電気製品収納部内の一酸化炭素濃度を検知する一酸化炭素濃度検知手段と、前記一酸化炭素濃度検知手段の出力に応じて動作する制御手段とを備え、前記制御手段は、前記収納扉が開時に前記家庭電気製品収納部内の一酸化炭素濃度が異常に変化し、前記一酸化炭素濃度検知手段の出力が一定のレベルを超えると前記収納扉を閉じるもので、キャビネット内に収納した家庭電気製品に異常過熱などが発生した場合、家庭電気製品収納部への空気の供給を停止するとともに、異常過熱部分を使用者から隔離することができ、被害が拡大するのを防止することができる。
【発明の効果】
【０００７】
本発明の家庭電気製品収納庫は、キャビネット内に収納した家庭電気製品の異常過熱などにより、家庭電気製品収納部の一酸化炭素濃度に異常な上昇が発生した場合にキャビネットの収納扉を閉じることで、家庭電気製品収納部への空気の供給を停止するとともに、異常過熱部分を使用者から隔離することができ、被害が拡大するのを防止することができる。
【図面の簡単な説明】
【０００８】
【図１】本発明の実施の形態１における家庭電気製品収納庫の断面図
【図２】同家庭電気製品収納庫の概略構成を示す斜視図
【図３】同家庭電気製品収納庫のブロック図
【発明を実施するための形態】
【０００９】
第１の発明は、キャビネットと、前記キャビネットの前面に開閉自在に取り付けられた収納扉と、前記キャビネット内に設けられ家庭電気製品を収納する家庭電気製品収納部と、前記家庭電気製品収納部内の一酸化炭素濃度を検知する一酸化炭素濃度検知手段と、前記一酸化炭素濃度検知手段の出力に応じて動作する制御手段とを備え、前記制御手段は、
前記収納扉が開時に前記家庭電気製品収納部内の一酸化炭素濃度が異常に変化し、前記一酸化炭素濃度検知手段の出力が一定のレベルを超えると前記収納扉を閉じるもので、キャビネット内に収納した家庭電気製品に異常過熱などが発生した場合、家庭電気製品収納部への空気の供給を停止するとともに、異常過熱部分を使用者から隔離することができ、被害が拡大するのを防止することができる。
【００１０】
第２の発明は、特に、第１の発明の家庭電気製品収納部に設けられ家庭電気製品へ給電する給電手段と、この給電手段を入り切りする電源制御手段を備え、制御手段は、収納扉が開時に前記家庭電気製品収納部内の一酸化炭素濃度が異常に変化し、一酸化炭素濃度検知手段の出力が一定のレベルを超えると前記電源制御手段により、前記給電手段への給電を停止するもので、キャビネット内の一酸化炭素濃度が一定のレベルを超えると、家庭電気製品収納部外からの空気の供給を抑えるとともに、キャビネット内の家庭電気製品へのエネルギー供給を停止することで、機器の異常過熱を抑制することができる。
【００１１】
第３の発明は、特に、第１又は第２の発明の家庭電気製品から発生する蒸気を家庭電気製品収納部の外へ排出する蒸気処理手段を備え、制御手段は、前記家庭電気製品収納部内の一酸化炭素濃度が上昇し、一酸化炭素濃度検知手段の出力が一定のレベルを超えると前記蒸気処理手段の動作を停止させるもので、キャビネット内に収納した家庭電気製品に異常過熱などが発生した場合、家庭電気製品収納部への空気の供給を停止するとともに、異常過熱部分を使用者から隔離することができ、被害が拡大するのを防止することができる。
【００１２】
第４の発明は、特に、第１〜３のいずれか一つの発明の家庭電気製品収納庫において、外力による扉の開閉を禁止するロック手段を備え、一酸化炭素濃度検知手段の出力が一定のレベルを超えると、前記収納扉を閉じた後、前記ロック手段を動作させて前記収納扉が開かないようにするもので、異常過熱部分と使用者の隔離を確実なものとすることができる。
【００１３】
以下、本発明の実施の形態について、図面を参照しながら説明する。なお、この実施の形態によって本発明が限定されるものではない。
【００１４】
（実施の形態１）
図１は、本発明の実施の形態１における家庭電気製品収納庫の断面図、図２は、同家庭電気製品収納庫の概略構成を示す斜視図、図３は、同家庭電気製品収納庫のブロック図である。
【００１５】
図１〜３において、本実施の形態における家庭電気製品収納庫のキャビネット１は、家庭電気製品収納部２を有し、この家庭電気製品収納部２に、電気調理機などの家庭電気製品（図示せず）を載置して収納するように構成されている。キャビネット１の前面に収納扉１３が開閉自在に取り付けられている。
【００１６】
第１の給電手段（給電手段）３および第２の給電手段（給電手段）４は、コンセントにより構成され、接続された家庭電気製品に給電するもので、家庭電気製品収納部２に設けている。第１の電源制御手段（電源制御手段）１０および第２の電源制御手段（電源制御手段）１１は、リレーにより構成され、それぞれ第１の給電手段３および第２の給電手段４を制御するようにしている。
【００１７】
一酸化炭素濃度検知手段１２は、家庭電気製品収納部２内の一酸化炭素濃度を検出するもので、制御手段１５は、一酸化炭素濃度検知手段１２の出力により動作するもので、家庭電気製品収納部２内の一酸化炭素濃度が異常に変化した場合、一酸化炭素濃度検知手段
１２の出力が一定のレベルを超えると、第１の電源制御手段１０および第２の電源制御手段１１を介して、分電盤７から第１の給電手段３および第２の給電手段４への商用電源の給電を停止すると共に、扉開閉手段１６により、収納扉１３を閉じるよう構成している。
【００１８】
蒸気処理手段１４は、家庭電気製品から発する蒸気を家庭電気製品収納部２の外へ排出するもので、キャビネット１の上部に設け、蒸気処理手段１４の下面の蒸気受け部１８に一酸化炭素濃度を検出する一酸化炭素濃度検知手段１２を設けている。制御手段１５は、蒸気処理手段１４を制御するとともに、家庭電気製品収納部２の一酸化炭素濃度が上昇し、一酸化炭素濃度検知手段１２の出力が一定のレベルを超えると、蒸気処理手段１４の動作を停止するよう構成している。
【００１９】
以上のように構成された本実施の形態における庭電気製品収納庫の動作を以下に説明する。
【００２０】
家庭電気製品収納部２には、主にキッチンで使用される調理家電、例えば、ジャーポット、炊飯器、コーヒーメーカなどの家庭電気製品が収納される。これらの家庭電気製品は第１の給電手段３または第２の給電手段４に接続されたまま置かれることが多い。ジャーポットであれば保温のまま昼夜を問わず、また、使用者の在、不在を問わず、第１の給電手段３または第２の給電手段４に接続されているのが常であり、炊飯器においても、予約炊飯や保温を考慮しても常時第１の給電手段３または第２の給電手段４に接続されていることが多い。
【００２１】
さらに、これらの家庭電気製品は水利用機器であり、使用時には蒸気が発生する。そのため、家庭電気製品収納部２の上部に、家庭電気製品から発生した蒸気を庫外に排出する蒸気処理手段１４を設けており、家庭電気製品収納部２内の空気とともに家庭電気製品から発生した蒸気を吸引し、庫外に排出する。
【００２２】
ここで、これら家庭電気製品の使用中に何らかの不具合により家庭電気製品収納部２内で異常過熱が発生した場合、発生した熱により、家庭電気製品収納部２内の空気に上昇気流が生じる。そこで、家庭電気製品収納部２の上部にある蒸気処理手段１４の蒸気受け部１８に一酸化炭素濃度検知手段１２を設け、一酸化炭素濃度を検出する。
【００２３】
キャビネット１内部の一酸化炭素濃度が異常に上昇し、一酸化炭素濃度検知手段１２の出力が一定のレベルを超えると、制御手段１５は、蒸気処理手段１４の動作を停止し、第１の電源制御手段１０および第２の電源制御手段１１を介して、分電盤７から第１の給電手段３および第２の給電手段４への商用電源の給電を停止すると共に、扉開閉手段１６により、収納扉１３を閉じる。
【００２４】
以上のように、本実施の形態においては、給電を停止することにより、キャビネット１１内部の家庭電気製品の自己発熱を停止させることができる。
【００２５】
また、蒸気処理手段１４の動作も停止することにより、異常過熱時の空気の供給も抑制され、さらに収納扉１３を閉じることにより、異常過熱中のキャビネット１内部と使用者を隔離することができる。
【００２６】
なお、外力による収納扉１３の開閉を禁止するロック手段（図示せず）を設け、キャビネット１内部の異常過熱が発生し、一酸化炭素濃度検知手段１２の出力が一定のレベルを超え、収納扉１３が閉じられたときに、ロック手段で収納扉１３をロックするようにすれば、使用者の認識不足により、うっかり収納扉を開けるということを回避することができる。
【産業上の利用可能性】
【００２７】
以上のように本発明にかかる家庭電気製品収納庫は、キャビネット内に収納した家庭電気製品に異常過熱など異常が発生した場合にキャビネットの収納扉を閉じることで、家庭電気製品収納部への空気の供給を停止し、使用者を異常過熱したキャビネットから隔離することができるので、収納扉を有する家庭電気製品収納庫として有用である。
【符号の説明】
【００２８】
１  キャビネット
２  家庭電気製品収納部
３  第１の給電手段（給電手段）
４  第２の給電手段（給電手段）
１０  第１の電源制御手段（電源制御手段）
１１  第２の電源制御手段（電源制御手段）
１２  一酸化炭素濃度検知手段
１３  収納扉
１５  制御手段
１６  扉開閉手段
【図１】
2010252828.tif 000003
【図２】
2010252828.tif 000004
【図３】
2010252828.tif 000005